(57)【要約】  作動ケーブル（２８）を有し、安全ケーブル（１６）を有し、作動ケーブル（２８）が少なくとも周囲の一部に巻き付けられた駆動ケーブルプーリ（５８）を有し、駆動ケーブルプーリ（５８）を駆動する駆動部を有し、安全ケーブル（１６）のための安全装置を有し、安全装置は、ハウジング（５４）に回動可能に取付けられ、少なくとも周囲の一部に安全ケーブルが巻き付けられた非駆動ケーブルプーリ（６８）を有し、ブレーキ（７１）を介してケーブルプーリ（６８）に接続され、少なくとも一方向に安全ケーブル（１６）の所定の速さで固定し、ブレーキ（７１）により安全ケーブル（１６）を制動する拘束装置（３１）を更に備えることを特徴とする、特にサービスリフト（１０）のための、特に風力発電装置のための、エンドレス・ケーブル・ウインチについて開示する。【選択図】図２
2014523381.tif 000002
【特許請求の範囲】
【請求項１】
作動ケーブル（２８）と、
安全ケーブル（１６）と、
前記作動ケーブル（２８）が少なくとも周囲の一部に巻き付けられた駆動ケーブルプーリ（５８）と、
前記駆動ケーブルプーリ（５８）を駆動する駆動部（２４）と、を備え、
前記安全ケーブル（１６）のための安全装置（３０）を更に備え、
前記安全装置（３０）は、ハウジング（５４）に回動可能に取付けられ、少なくとも周囲の一部に前記安全ケーブル（１６）が巻き付けられた非駆動ケーブルプーリ（６８）を備え、
ブレーキ（７１）を介してケーブルプーリ（６８）に接続され、前記安全ケーブル（１６）における少なくとも一方向の所定の速さで固定し、前記ブレーキ（７１）により前記安全ケーブル（１６）を制動する拘束装置（３１）を更に備えることを特徴とする、特にサービスリフト（１０）のための、特に風力発電装置のための、エンドレス・ケーブル・ウインチ。
【請求項２】
請求項１に記載のエンドレス・ケーブル・ウインチにおいて、
前記拘束装置（３１）は、安全ケーブル（１６）の所定の速さにおいて、爪（３４）がラチェットホイール（３２）にラッチされるように、ハウジング（５４）に取付けられた爪（３４）と相互作用するラチェットホイール（３２）を備える、ことを特徴とするエンドレス・ケーブル・ウインチ。
【請求項３】
請求項１又は２に記載のエンドレス・ケーブル・ウインチにおいて、
前記拘束装置（３１）の固定を検出するセンサーを有し、前記センサーは、拘束装置（３１）の固定を示す信号を出力する、ことを特徴とするエンドレス・ケーブル・ウインチ。
【請求項４】
請求項１乃至３のいずれか一項のエンドレス・ケーブル・ウインチにおいて、
前記爪（３４）は、第１爪アーム（３８）及び第２爪アーム（４０）を有し、
前記爪（３４）はこれらの間でハウジング（５４）に回動可能に取付けられ、
前記爪（３４）は、第１爪アーム（３８）が前記所定の速さまで前記ラチェットホイールに沿って動くことができ、安全ケーブル（１６）の下方向における速さが、前記所定の速さを超えるとき、前記第２爪アーム（４０）で前記ラチェットホイール（３２）にラッチするように、前記ラチェットホイールに対し予め負荷がかけられている、ことを特徴とするエンドレス・ケーブル・ウインチ。
【請求項５】
請求項１乃至４のいずれか一項に記載のエンドレス・ケーブル・ウインチにおいて、
前記拘束装置（３１）を対象を定めて起動する手段（４５）、特に、ラチェットホイール（３２）の中にラッチングするためのラッチング位置に爪（３４）を移動させるためのボタン、を備えることを特徴とするエンドレス・ケーブル・ウインチ。
【請求項６】
請求項２乃至５のいずれか一項に記載のエンドレス・ケーブル・ウインチにおいて、
前記ラチェットホイール（３２）及びケーブルプーリ（６８）は、回動の共通軸に対して回動可能であり、
前記ラチェットホイール（３２）はケーブルプーリ（６８）と共に摩擦ブレーキ（７１）を形成する、ことを特徴とするエンドレス・ケーブル・ウインチ。
【請求項７】
請求項１乃至６のいずれか一項に記載のエンドレス・ケーブル・ウインチにおいて、
前記ブレーキ（７１）は、円錐ブレーキの形式である、ことを特徴とするエンドレス・ケーブル・ウインチ。
【請求項８】
請求項６又は７に記載のエンドレス・ケーブル・ウインチにおいて、
前記摩擦ブレーキは、銅合金からなる第１摩擦パートナーと鉄合金からなる第２摩擦パートナーとにより構成されている、ことを特徴とするエンドレス・ケーブル・ウインチ。
【請求項９】
請求項８に記載のエンドレス・ケーブル・ウインチにおいて、
前記ブレーキ（７１）は、約４〜１０度の円錐角を有している、ことを特徴とするエンドレス・ケーブル・ウインチ。
【請求項１０】
請求項６乃至９のいずれか一項に記載のエンドレス・ケーブル・ウインチにおいて、
前記摩擦ブレーキ（７１）は、少なくとも１つのライニングを備える、ことを特徴とするエンドレス・ケーブル・ウインチ。
【請求項１１】
請求項７乃至１０のいずれか一項に記載のエンドレス・ケーブル・ウインチにおいて、
前記ラチェットホイール（３２）は、ケーブルプーリ（６８）の内側円錐（７４）に対してバネ荷重がかけられた外側円錐（７２）を有している、ことを特徴とするエンドレス・ケーブル・ウインチ。
【請求項１２】
請求項１１に記載のエンドレス・ケーブル・ウインチにおいて、
前記ラチェットホイール（３２）は、板バネ（７８）によりケーブルプーリ（６８）の内側円錐（７４）に対して予め負荷がかけられ、前記負荷は好ましくは調整可能である、
ことを特徴とするエンドレス・ケーブル・ウインチ。
【請求項１３】
請求項１乃至１２のいずれか一項に記載のエンドレス・ケーブル・ウインチにおいて、
少なくとも前記作動ケーブル（２８）又は前記安全ケーブル（１６）のいずれかは、駆動ケーブルプーリ（５８）又はケーブルプーリ（６８）の周囲に、巻き付け角度３００度未満で、好ましくは２６０度から２８０度で、特に好ましくは２７０度で巻かれている、ことを特徴とするエンドレス・ケーブル・ウインチ。
【請求項１４】
請求項１乃至１３のいずれか一項に記載のエンドレス・ケーブル・ウインチにおいて、
安全ケーブルの制動のための前記所定の速さは、毎分２０〜４０ｍであり、好ましくは毎分２５〜３５ｍであり、特に好ましくは毎分３０ｍである、ことを特徴とするエンドレス・ケーブル・ウインチ。
【請求項１５】
請求項１乃至１４のいずれか一項に記載のエンドレス・ケーブル・ウインチにおいて、
駆動ケーブルプーリ（５８）及びケーブルプーリ（６８）は、共通のハウジング（５４）に取付けられている、ことを特徴とするエンドレス・ケーブル・ウインチ。
【請求項１６】
請求項１乃至１５のいずれか一項に記載のエンドレス・ケーブル・ウインチにおいて、
ケーブルプーリ（６８）は、安全ケーブル（１６）をケーブルプーリ（６８）に対して付勢する付勢装置（４８）を有している、ことを特徴とするエンドレス・ケーブル・ウインチ。
【請求項１７】
請求項１乃至１６のいずれか一項に記載のエンドレス・ケーブル・ウインチにおいて、駆動ケーブルプーリ（５８）は、作動ケーブル（２８）を駆動ケーブルプーリ（５８）に対して付勢する付勢装置（５６）を有している、ことを特徴とするエンドレス・ケーブル・ウインチ。
【請求項１８】
請求項１５又は１６に記載のエンドレス・ケーブル・ウインチにおいて、
前記付勢装置（４８，５６）は、バネ荷重圧力ローラ（５０）を備えている、ことを特徴とするエンドレス・ケーブル・ウインチ。
【請求項１９】
請求項１乃至１８のいずれか一項に記載のエンドレス・ケーブル・ウインチにおいて、
ラチェットホイール（３２）は、ケーブルプーリ（６８）のジャーナル（７３）に取付けられている、ことを特徴とするエンドレス・ケーブル・ウインチ。
【請求項２０】
請求項１乃至１９のいずれか一項に記載のエンドレス・ケーブル・ウインチを特徴とする、特にサービスリフトのための、また特に風力発電装置のための、人用リフト装置。
【請求項２１】
請求項２０に記載の人用リフト装置において、
作動ケーブル（２９）及び安全ケーブル（１６）は、上方のストランドに対し約９０度の角度でエンドレス・ケーブル・ウインチ（２０）の外側へ横方向にガイドされ、それぞれただ一つの迂回ローラ（１４）により下方向に迂回されている、ことを特徴とする人用リフト装置。
【発明の詳細な説明】
【技術分野】
【０００１】
本発明は、特に風力発電装置における、特にサービス・リフトにおける、エンドレス・ケーブル・ウインチに関し、作動ケーブル及び安全ケーブル、少なくとも周囲の一部に作動ケーブルが巻き付けられる駆動ケーブルプーリ、駆動ケーブルプーリを駆動する駆動部を備え、更に安全ケーブルのための安全装置を備える。
【背景技術】
【０００２】
このタイプのエンドレス・ケーブル・ウインチは、人の運搬用途に広く利用されている。ここで、一般的な場合には、一人又はそれ以上の人を受けるためのリフトかご、プラットホーム又はそのようなものが、エンドレス・ケーブル・ウインチにより、上方向又は下方向に移動する。作動ケーブルのケーブル破損の際、又はエンドレス・ケーブル・ウインチのギアボックス破損の際の落下防止装置を提供するために、作動ケーブルと共に、及び独立して動く安全ケーブルが提供される。安全ケーブルは、安全ケーブルが速すぎる速さで下方に移動する際、安全装置で固定動作を発生させて、安全ケーブルが急停止され、リフトかごやプラットホーム等が捕獲される。
【発明の概要】
【０００３】
しかしながら、作動ケーブルの破損の際の突然の制動は、安全ケーブルに高い負荷を発生させる。更に、そのケーブル・ウインチにより動作するリフト装置にいた人は、激しい物理的及び心理的ストレスにさらされる。
【０００４】
本発明の目的は、上述の不利益を可能な限り削減するエンドレス・ケーブル・ウインチを提供することである。
【０００５】
まず最初に、安全装置が、回動可能にハウジングに装着され、少なくとも周囲の一部に安全ケーブルが巻かれた非駆動ケーブルプーリを備え、更に、ブレーキを介して前記ケーブルプーリに結合され、少なくとも一方向における安全ケーブルの所定の速さにおいて固定し、前記ブレーキにより前記安全ケーブルを制動する拘束装置を備えるということで説明される型のエンドレス・ケーブル・ウインチの場合に、本発明によってこの目的は達成される。
【０００６】
本発明の目的はこれにより完全に達成される。
【０００７】
特に、所定のスピードに達したときに、拘束装置が固定し、ブレーキにより安全ケーブルを制動するという事実は、安全ケーブルに直接に作動する先行技術において使用される固定拘束装置と比較して、安全装置により安全ケーブルを捕獲する期間において、安全ケーブルをかなり遅く制動するという結果となる。先行技術の場合では、拘束装置による安全ケーブルを直接捕獲する間に制動加速度が約３〜５ｇに上昇するのに対し、ブレーキ装置の設計によっては例えば約２ｇという、かなり低い制動加速度とすることが可能である。これは、まず始めに、安全装置に対応した安全ケーブルの負荷がかなり減少するという結果を有している。次に、このようにエンドレス・ケーブル・ウインチにより移動する人用リフト装置にいる人の物理的及び心理的ストレスを減少させる。
【０００８】
本発明の好ましい改良では、拘束装置は、ハウジングに装着された爪と相互作用するラチェットホイールを備え、安全ケーブルの所定の速さにおいて、爪がラチェットホイールにラッチされるようになっている。
【０００９】
このように、拘束装置は、高い冗長性があり、単純で信頼性のある設計で提供される。
【００１０】
ここで、本発明の好ましい改良では、爪は、第１の爪アームと第２の爪アームとを有し、これらの間で爪はハウジングに回動可能に装着されている。ここで、爪は、第１の爪アームは、所定の速さまでラチェットホイールに沿って動くことができ、安全ケーブルの下方向の速さが所定の速さを超えるときに、第２の爪アームでラチェットホイールにラッチするように、予めラチェットホイールに対して負荷がかけられている。
【００１１】
このように、爪によりラチェットホイールの信頼性のある固定を確保することが可能である。固定が行われる所定の速さは、爪に予めかけられた負荷により細かく調整することができる。
【００１２】
本発明の更なる形態において、拘束装置の固定を検知するためのセンサーが提供される。センサーは、拘束装置の固定を示す信号を出力する。
【００１３】
このように、拘束装置の固定の際に、例えば駆動部を遮断したり、もし適当であれば、例えば遠隔モニター部への障害信号の送信というような更なる手段を実装するために、信号を利用することができる。
【００１４】
更にまた、対象を定めて拘束装置を起動する手段、特に、ラチェット・ホイールにラッチするために爪をラッチ位置に移動させるためのボタンを提供することができる。
【００１５】
このように、拘束装置は、手動的、機械的、電気的その他の方法、例えば、危機的な状況が検出された際に、制動動作が発生するように拘束装置を起動するために、対象を定めて起動させることができる。
【００１６】
ここで、起動の後、拘束装置は、引き続き起こる安全ケーブルの上方向への移動の間に、自動的に解除されるように構成されていてもよい。
【００１７】
本発明の更なる形態において、ラチェットホイール及びケーブルプーリは、回動の共通軸で回動可能であり、ラチェットホイールはケーブルプーリと共に摩擦ブレーキを形成している。
【００１８】
単純な信頼性のある構造はこのように保証される。
【００１９】
発明の更なる形態において、ブレーキは円錐ブレーキの形式である。
【００２０】
円錐ブレーキとしてのブレーキの設計は、比較的小さな取付けサイズで、非常に効率的な制動動作を発生する。
【００２１】
摩擦ブレーキが、銅合金を含む第１摩擦パートナーと、鉄合金を含む第２摩擦パートナーとを備えることが更に好ましい。
【００２２】
本発明によれば、適用のための摩擦ブレーキの設計は、特に高いブレーキ力を許容する、特に好適な構成パラメータを生成することが分かった。使用される２つの摩擦パートナーに対して、代りに、少なくともうち１つは摩擦ライニングと共に提供されることも可能である。
【００２３】
ここで、ブレーキは、約４度〜１０度の円錐角を有する。
【００２４】
ブレーキの特に適切な構成パラメータは、このように取得することができる。
【００２５】
また、代りに、摩擦ライニングは、少なくとも一つの摩擦パートナー上に提供されるとすることもできる。この場合には、一般的に、約１０度〜４０度の大きさの、より大きな円錐角を使用することもできる。
【００２６】
これは、起こりうる摩耗や固着を抑制する。
【００２７】
更に発明の好適な形態において、ラチェットホイールは、ケーブルプーリの内側円錐に対してバネ荷重がかけられた外側円錐を有している。
【００２８】
ここで、ラチェットホイールは、ケーブルプーリの内側円錐に対して、例えば板バネにより、予め負荷をかけることができ、この負荷は好ましくは調整可能である。
【００２９】
これらの手段は、単純で信頼性のある構成を生成する。
【００３０】
板バネの使用は、非常に高い圧力を与えることができるため、高い制動力を伝えることができる。
【００３１】
本発明の更なる形態において、少なくとも作動ケーブル又は安全ケーブルのいずれかは、駆動ケーブルプーリ又はケーブルプーリの周囲に、巻き付け角度３００度未満で、好ましくは２６０度から２８０度で、特に好ましくは２７０度で巻かれる。
【００３２】
従来のエンドレス・ケーブル・ウインチに場合には、巻き付け角度は通常３６０度であるが、本発明によれば、より小さな巻き付け角度はより適当であることが認められた。人用リフト装置に使用されるエンドレス・ケーブル・ウインチの場合で、もし、ケーブルが、サービスリフトそれ自体を介してガイドされていなく、迂回ローラにより、サービスリフトを横方向に通過して下方向に迂回しているのであれば、特に約２７０度のより小さな巻き付け角度を用いることにより、迂回ローラを使用しないで済ますことができる。
【００３３】
本発明の好ましい改良において、安全ケーブルの制動のための所定の速さは、毎分２０〜４０ｍであり、好ましくは毎分２５〜３５ｍ、好ましくは毎分約３０ｍである。
【００３４】
このように、欧州規格ＥＮ１８０８に定義されたトリガー速さの遵守を保証することができる。
【００３５】
本発明の更なる形態において、駆動ケーブルプーリ及びケーブルプーリは、共通ハウジングに取付けられる。
【００３６】
このように、ウインチと安全装置との両方を共通ハウジングに収め、小型化された構造とすることができる。
【００３７】
しかしながら、基本的に、安全装置が、拘束装置とブレーキとの分離ユニットとして構成されることも考えられる。
【００３８】
本発明の更なる形態において、ケーブルプーリは、ケーブルプーリに対して安全ケーブルを付勢する付勢装置を有する。
【００３９】
本発明の更なる形態において、駆動ケーブルプーリは、駆動ケーブルプーリに対して作動ケーブルを付勢する付勢装置を有する。
【００４０】
ここで、付勢装置は、例えば、バネ荷重圧力ローラとすることができる。
【００４１】
これらの手段は、もし両方のケーブルが予め負荷がかけられ、又は重りが積まれている場合には、基本的に必要ないが、安全性を更に高めることに繋がる付加的な安全手段に関するものである。
【００４２】
更にまた、ラチェットホイールは、ケーブルプーリのジャーナルに取付けることができる。
【００４３】
最後に、駆動ケーブルプーリ及びケーブルプーリの互いの回動可能な結合接続も考えられる。
【００４４】
これらの手段は、全体として、安全装置及びエンドレス・ケーブル・ウインチのより単純な構造及び小さな設計を生み出す。
【００４５】
発明は、上述したタイプのエンドレス・ケーブル・ウインチを有する人用リフト装置、特にサービスリフト、特に風力発電装置も提供する。
【００４６】
ここで、作動ケーブル及び安全ケーブルが、上側のストランドに対し約９０度の角度でエンドレス・ケーブル・ウインチの外側へ横方向にガイドされ、それぞれ単に一つの迂回ローラにより下方向に迂回させることが可能である。
【００４７】
このように、更なる迂回ローラなしですまし、より単純なケーブルガイドを達成すること、及び、人用リフト装置、特に昇降かごのより小さな構造高さを達成することが可能である。
【００４８】
上述した発明の特徴及び以下に説明される発明の特徴は、本発明の範囲から離脱することなく、それぞれ特定された組合せだけでなく、他の組合せ又は独立に利用することができるのは自明である。
【図面の簡単な説明】
【００４９】
本発明の更なる特徴及び優位性は、これらの図面を参照した好ましい実施形態の以下の説明から明らかとなるであろう。
【図１】図１は、風力発電装置に用いられるサービスリフトの構成で人用リフト装置の、単純化された側面図である。
【図２】図２は、図１のような人用リフト装置に使用される、本発明によるエンドレス・ケーブル・ウインチの斜視図である。
【図３】図３は、図２のようなエンドレス・ケーブル・ウインチの正面図である。
【図４】図４は、図３のようなエンドレス・ケーブル・ウインチの正面図であり、ハウジングカバーが外された後の拡大図である。
【図５】図５は、図２のようなエンドレス・ケーブル・ウインチの断面を示している。
【図６】図６は、ウインチ及び安全装置の領域における図５のような部分断面であり、拡大図である。
【発明を実施するための形態】
【００５０】
図１は、風力発電装置のサービスリフトの構成における人用リフト装置を示す側面図であり、概略図である。
【００５１】
概して、符号１０で示される人用リフト装置は、エンドレス・ケーブル・ウインチ２０に最上端が固定されたフレーム１８を伴ったリフトかご１２を有する。
【００５２】
リフトかご１２は、エンドレス・ケーブル・ウインチ２０を介して横方向にガイドされ、ローラ１４により下方向に迂回された作動ケーブルに架けられている。作動ケーブルに平行して、エンドレス・ケーブル・ウインチ２０を介してガイドされるような安全ケーブル１６が延びている。安全ケーブル１６は、安全ケーブル１６の上側ストランドに対して角度９０度又は２７０度でエンドレス・ケーブル・ウインチ２０の外側へ横方向にガイドされ、迂回ローラ１４により下方向にガイドされている。図１において、安全ケーブル１６の経路のみを視認することができる。これは作動ケーブルは、これに正確に平行に延びており、安全ケーブル１６により隠されているためである。
【００５３】
エンドレス・ケーブル・ウインチ２０の構成及び動作のモードは、図２〜６に基づいて以下により詳細に説明される。
【００５４】
図２は、エンドレス・ケーブル・ウインチ２０の斜視図である。エンドレス・ケーブル・ウインチ２０は、リフトかご１２が作動ケーブル２８上で上方向又は下方向に移動するように、作動ケーブル２８を移動する。ウインチ２２は、モータとギアボックスルとを有する駆動部２４を備えると共に、制御部２６を備えている。エンドレス・ケーブル・ウインチ２０は、作動ケーブル２８を移動させるウインチ２２と共に、安全ケーブル１６がガイドされる安全装置３０と、を備えている。
【００５５】
図３は、エンドレス・ケーブル・ウインチ２０を示す正面図であり、図４は、エンドレス・ケーブル・ウインチ２０を示し、安全装置３０のハウジングカバーを取り外した後の少し拡大した正面図である。
【００５６】
図４は、安全装置３０の一部である拘束装置３１の構造を示している。拘束装置３１は、回動軸３６において回動可能となるように保持された爪３４と相互作用するラチェットホイール３２を備えている。爪３４は、回動軸３６から反対方向に延びる第１爪アーム３８と第２爪アーム４０とを有している。爪３４は、第１爪アーム３８が通常ラチェットホイール３２の内側歯に対してもたれるように、バネ４６により予め負荷がかけられている。この位置において、ラチェットホイールは、ラチェットホイール３２に対して固定に導く爪なしの場合に、時計回り及び反時計回りにも動かすことができる。もしラチェットホイール３２が、図４に示されるように、反時計回りに動くならば、リフトかご１２は、下方向に移動する。ここで、爪３４は、ラチェットホイール３２の歯付きの内側面上の第１爪アーム３８と共に動作する。バネ４６の圧力は、今、以下のように設定される。安全ケーブル１６の下方向の速さが毎分約３０ｍに達したときに、第１爪アーム３８とラチェットホイール３２の歯付き内側面との相互作用は、爪３４をラチェットホイール３２の内側面から持ち上げ、爪が、第２爪アームの端のラッチング突起部４２でラチェットホイール３２の内側面にラッチされるような回転をもたらす。そして、ラチェットホイール３２はハウジング５４に取付けられた爪３４により固定される。拘束装置３１は、このように拘束され、爪３４で固定されるように、回動可能に取付けられたラチェットホイール３２となる。
【００５７】
拘束された状態において、スイッチ４４は動作する。スイッチは、制御部２６へ駆動部２４が遮断されなければならないという信号を送る。更に、スイッチ４４は、応答の際に、例えば遠隔モニター装置に送信される例えば障害信号を出力するように使用することもできる。
【００５８】
図４は、安全ケーブル１６が上でガイドされるケーブルプーリのための圧力装置４８も示している（図５参照）。圧力装置４８は、図５のように、ケーブルプーリ６８の付随ガイド溝に後続を押し込むために、安全ケーブル１６に対してバネ５２により圧力がかけられる圧力ローラ５０を有している。
【００５９】
図５は更に、ウインチ２２の構造を示している。ウインチ２２は、基本的に知られた方法で、作動ケーブル２８が約２７０度の巻き付け角度でガイドされた駆動ケーブルプーリ５８を有している。駆動ケーブルプーリ５８は、作動ケーブル２８が中で動作するガイド溝５９を有している。圧力装置５６は、作動ケーブル２８をガイド溝５９に押し込むためにも提供される。この圧力装置はバネと結合された圧力ローラを含む。作動ケーブル２８は、図２に見られるように、約２７０度の巻き付け角度の後、ウインチ２２の外側の横方向に現れる。そして迂回ローラ１４により下方向に迂回される。
【００６０】
図５はまた、電気モータ及びギアボックスを備える駆動部２４を示している。ギアボックスの出力シャフト７０は、シャフト型のピニオン（不図示）を介して駆動ケーブルプーリ５８を駆動する。
【００６１】
図６の拡大図から分かるように、駆動ケーブルプーリ及びケーブルプーリの両方は、それぞれ２つのベアリング６０、６２、６４、６６によりウインチ２２及び安全装置３０の共通ハウジング５４に取付けられている。
【００６２】
安全装置３０は、図４に基づく上述の議論による拘束装置３１を備え、この安全装置は、安全ケーブル１６が上でガイドされるケーブルプーリ６８に、全体として符号７１に示されるブレーキにより結合される。ラチェットホイール３２は、ケーブルプーリ６８の内側円錐７４に対して支持する外側円錐７２を有している。ラチェットホイール３２は、ラチェットホイール３２の外側円錐７２とケーブルプーリ６８の内側円錐７４との間が摩擦係合となるように、ケーブルプーリのジャーナル７３上のベアリングリング７６に対して支持されている板バネ７８によりケーブルプーリ６８に対して予め負荷がかけられている。板バネ７８の予めの負荷は、ジャーナル７３上のネジ山にネジ止めされたナット８２により調整される。
【００６３】
安全装置３０の機能は以下の通りである。
【００６４】
通常の状態において、非駆動ケーブルプーリ６８は、駆動ケーブルプーリ５８と同期して動作する。したがって安全ケーブル１６は、ケーブルプーリ６８にかけられた作動ケーブルと同じ速さで動く。
【００６５】
何らかの理由で、作動ケーブル２８の破損又は駆動部２４のギアボックス障害のいずれかの結果として、ウインチ２２が機能しなくなった場合、リフトかご１２を下方向に落とす原因となり得る。リフトかご１２は、最初、拘束装置３１のトリガー速さに達するまで加速された速さで下方向に移動する。毎分約３０ｍにおいて、爪３４は、ラチェットホイール３２を固定し、リフトかご１２が最終的に停止するまで、以前回っていたケーブルプーリ６８が、円錐ブレーキ７１により制動される。
【００６６】
拘束装置３１のためのトリガー速さは毎分約３０ｍである。板バネ７８の予めの負荷、約５度〜８度である円錐ブレーキ７１の円錐角、内側円錐７４及び外側円錐７２（銅合金／鉄合金）の材料の組合せの摩擦は互いに連携し、毎分約３０ｍのトリガー速さで動作開始し、リフトかごは約２ｇで制動される。これは安全ケーブルが即座に固定され、約５ｇでのリフトかごの補足に繋がる従来の安全装置を用いた場合よりもかなりスムーズな制動を構成する。
【００６７】
２つの金属（銅合金／鉄合金）の組合せの指定材料の代りに、さびの結果としての起こりうる摩耗や固着を抑えるために、少なくとも一つの摩擦パートナーに摩擦ライニングが提供されることも可能である。ここで一般的には、１０度から４０度の大きさ、例えば約２０度のより大きな円錐角を用いることも必要であろう。
【００６８】
ボタン４５により、爪３４は、手動的、機械的、電気的又はその他の方法で、拘束位置に動かされてもよい（図５参照）。この目的のために、ボタン４５は、爪３４を回動するために一度動作される。もし安全ケーブル１６が再び上方向に移動されたならば、拘束位置は、再び自動的に解除される。
【図１】
2014523381.tif 000003
【図２】
2014523381.tif 000004
【図３】
2014523381.tif 000005
【図４】
2014523381.tif 000006
【図５】
2014523381.tif 000007
【図６】
2014523381.tif 000008
【国際調査報告】
2014523381.tif 000009
2014523381.tif 000010